(57)【特許請求の範囲】
【請求項１】
外枠の前面に開閉可能に装着された基枠と、
該基枠に開設した開口部の裏側に着脱可能にセットされた遊技盤と、
前記基枠の前側に開閉可能に装着され前記遊技盤の遊技領域を透視し得る開口窓を形成した扉体と、を備えた遊技機において、
前記扉体は、
前記開口窓の裏側に装着した窓枠体と、
該窓枠体に起立支持されて前記遊技盤の遊技領域を透視可能に閉塞する透明な第１窓板並びにその後ろに位置する透明な第２窓板と、
前記窓枠体の上辺側で前記第１窓板・第２窓板の出し入れ口とされる開口部位に開閉可能又は着脱可能に装備した前記第１窓板・第２窓板用の押え部材を備えてなり、
前記窓枠体は、左右辺をなす側枠部と下辺をなす下枠部とから構成されて前記第１窓板・第２窓板の板厚より大きい溝幅を有する前後２列の溝状の第１装着部・第２装着部を有し、
前記第２装着部の前記下枠部に、前記第２窓板の下端部を遊技盤側に滑らせて下枠部の溝内の後側に移行させるための後下り傾斜状の案内面を形成し、
一方、前記押え部材は、前記第１窓板・第２窓板の各上端部の対向面間に亘り嵌まり得る嵌込み部を有し、この嵌込み部に、該嵌込み部自体の前後方向の幅を縮小する向き及び復元する向きに弾性変形可能とするためのスリット溝を形成するとともに、該嵌込み部の前下縁と後下縁には第１窓板・第２窓板の各上端部と弾性的に当接し得る凸部が形成され、該凸部は前記スリット溝の上下方向の高さに比べて小さく且つ前記第１窓板・第２窓板の各上端部に弾性的に当接し得るようになっており、
前記押え部材は、前記第１窓板・第２窓板の各上端部の対向面間に前記嵌込み部を嵌めた状態で、該嵌込み部の前後方向の幅の弾性変形により、前向きの前記凸部を前記第１窓板の後面上端に当接させるとともに、後ろ向きの前記凸部を前記第２窓板の前面上端に当接させて該第２窓板の上端を前記第２装着部の溝内の後側に押し寄せるように構成したことを特徴とする遊技機。
【発明の詳細な説明】
【０００１】
【発明の属する技術分野】
この発明は、例えば、パチンコ機（アレンジボール機、雀球機等も含む）のような遊技機（弾球遊技機と呼ばれることもある）に関し、詳しくは、遊技盤が装着される遊技機本体と、その遊技機本体に開閉可能に装着された扉体と、を備えた遊技機に関する。
【０００２】
【従来の技術】
従来、この種の遊技機において、遊技機本体に開閉可能に装着される扉体には、遊技盤の遊技領域を透視可能な開口窓が形成される。また、扉体には、その開口窓を塞ぐ窓板（ガラス板、透明な合成樹脂板等）を保持する横断面略Ｕ字状の溝状をなす装着部を有する窓枠体（ガラスレールとも呼ばれている）が設けられている。この窓枠体の装着部の溝幅は、窓板の板厚寸法よりも若干大きく設定され、その装着部に窓板が着脱可能に差し込まれて保持されるようになっているのが一般的である。
【０００３】
【発明が解決しようとする課題】
ところで、前記従来の扉体において、窓枠体の装着部と窓板との間には隙間が発生し、その隙間に相当する分だけ窓板がガタツクことがある。窓板のガタツキを防止するために、窓枠体の装着部内にバネ材を配設し、そのバネ材のバネ力によって、窓枠体の装着部の一方の溝壁部に窓板を押し付けることで窓板のガタツキを防止することが知られている。しかしながら、窓枠体の装着部の溝内にバネ材を配設すると、窓枠体の装着部の溝内に窓板を差し込む際、バネ材が障害物となる。このため、窓枠体の装着部の溝内に窓板を差し込む作業が困難となる。言い換えると、窓枠体に対する窓板の装着性が悪化する問題点があった。この発明の目的は、前記問題点に鑑み、扉体の窓枠体に対する窓板の装着性の悪化を防止しながら、窓板のガタツキを防止することができる遊技機を提供することである。
【０００４】
【課題を解決するための手段】
外枠の前面に開閉可能に装着された基枠と、
該基枠に開設した開口部の裏側に着脱可能にセットされた遊技盤と、
前記基枠の前側に開閉可能に装着され前記遊技盤の遊技領域を透視し得る開口窓を形成した扉体と、を備えた遊技機において、
前記扉体は、
前記開口窓の裏側に装着した窓枠体と、
該窓枠体に起立支持されて前記遊技盤の遊技領域を透視可能に閉塞する透明な第１窓板並びにその後ろに位置する透明な第２窓板と、
前記窓枠体の上辺側で前記第１窓板・第２窓板の出し入れ口とされる開口部位に開閉可能又は着脱可能に装備した前記第１窓板・第２窓板用の押え部材を備えてなり、
前記窓枠体は、左右辺をなす側枠部と下辺をなす下枠部とから構成されて前記第１窓板・第２窓板の板厚より大きい溝幅を有する前後２列の溝状の第１装着部・第２装着部を有し、
前記第２装着部の前記下枠部に、前記第２窓板の下端部を遊技盤側に滑らせて下枠部の溝内の後側に移行させるための後下り傾斜状の案内面を形成し、
一方、前記押え部材は、前記第１窓板・第２窓板の各上端部の対向面間に亘り嵌まり得る嵌込み部を有し、この嵌込み部に、該嵌込み部自体の前後方向の幅を縮小する向き及び復元する向きに弾性変形可能とするためのスリット溝を形成するとともに、該嵌込み部の前下縁と後下縁には第１窓板・第２窓板の各上端部と弾性的に当接し得る凸部が形成され、該凸部は前記スリット溝の上下方向の高さに比べて小さく且つ前記第１窓板・第２窓板の各上端部に弾性的に当接し得るようになっており、
前記押え部材は、前記第１窓板・第２窓板の各上端部の対向面間に前記嵌込み部を嵌めた状態で、該嵌込み部の前後方向の幅の弾性変形により、前向きの前記凸部を前記第１窓板の後面上端に当接させるとともに、後ろ向きの前記凸部を前記第２窓板の前面上端に当接させて該第２窓板の上端を前記第２装着部の溝内の後側に押し寄せるように構成した遊技機を提供する。
【０００５】
本発明に係る遊技機は、窓枠体の第２装着部に差し込まれた第２窓板の下端部が下枠部の案内面に当接した後は、第２窓板の自重によって案内面に沿って滑走しながら遊技盤側の溝壁部に隙間なく押し付けられて装着される。これによって、第２装着部に対する第２窓板の下端部のガタツキが良好に防止される。
【０００６】
また、前記窓枠体は、一側が開口した枠状に形成され、その枠開口部には、第１窓板・第２窓板の端縁部を押える押え部材が設けられる。該押え部材には、前記第２窓板の上端を第２装着部の溝の後端に押し付ける弾性変形可能な嵌込み部を設けたことで、窓枠体の第２装着部の溝内に対する第２窓板の上端部のガタツキも良好に防止することができる。
【０００７】
【発明の実施の形態】
（実施の形態１）
この発明の実施の形態１を図１〜図７にしたがって説明する。図３は遊技機としてのパチンコ機（弾球遊技機ともいう）の正面図である。図４は図３のＩＶ−ＩＶ線に基づく縦断面図である。図５は図３のＶ−Ｖ線に基づく平断面図である。図６は遊技機本体の外枠に対し基枠を開きその基枠に対し扉体を開いた状態を示す斜視図である。図７は遊技機本体の外枠に対し基枠を開いた状態を示す斜視図である。図３〜図７において、パチンコ機１の遊技機本体は、外枠３と基枠７を主体として構成され、基枠７の前側には扉体３０が開閉可能に装着されている。また、外枠３は方形枠状に形成され、その前面の下部には基枠７の下面を受ける受板３ａが設けられている。
【０００８】
図６と図７に示すように、外枠３の前側には、基枠７がその一側の基枠用開閉機構をなす基枠用ヒンジ部材６の軸を支点として開閉可能に取り付けられている。この基枠７の他側は、基枠用閉止機構をなす基枠施錠用フック１５によって閉じ状態に保持されている。なお、周知のように、基枠用閉止機構は、基枠７の後側面に設けられた基枠施錠用フック１５と、その基枠施錠用フック１５に係脱可能な位置において外枠３の内側面に設けられた係止具（図示しない）とを備えている。そして、基枠７が閉じられることで、その基枠施錠用フック１５が外枠３の係止具に係合して基枠７が閉じ状態に施錠されるようになっている。また、外枠３に対する基枠７の解錠は、基枠７の所定位置も設けたシリンダ錠の鍵穴１８に対し鍵を挿入し、その鍵を、所定方向に回動操作することで、基枠施錠用フック１５が外枠３の係止具から外れ、外枠３に対し基枠７が解錠されるようになっている。図４〜図６に示すように、基枠７は、遊技盤１０の前面の略全体を露出する開口部を有する方形額縁状に形成されている。この基枠７の後面には、その開口部周縁に沿って遊技盤装着枠８が設けられている。そして、遊技盤１０は、遊技盤装着枠８の後方から着脱可能に嵌込まれる。さらに、遊技盤装着枠８の片側において開閉可能に装着された機構板１９を閉じ、遊技盤装着枠８の後面に配設された複数の締付具９を固定位置まで回動することによって遊技盤装着枠８に機構板１９を介して遊技盤１０が固定されるようになっている（図７参照）。
【０００９】
図６に示すように、遊技盤１０の盤面（前面）には、球発射通路を構成する外レールと内レールを備えた案内レール１１が装着され、その案内レール１１の内側には遊技領域１２が区画されている。遊技盤１０の盤面には、その遊技領域１２内においてセンタ役物、入賞口を有する入賞装置、風車器、多数の釘等が配設されている。また、図６に示すように、基枠７の前面の下部には、発射レール７０が配設されるとともに、その発射レール７０を覆うようにして前板７２が開閉可能に装着されている。前板７２の前面には上皿７１が装着され、同前板７２の下方に位置する基枠７の下部前面には、操作ハンドル１６、下皿１７等が配設されている。
【００１０】
図６に示すように、基枠７の前側には、一側が扉用開閉機構２０によって開閉可能に取り付けられ、他側が扉用閉止機構２５によって閉じ状態に保持される扉体３０が配設されている。この実施の形態１において、扉体３０の一側とこれに対向する基枠７前面の一側との間には、扉用開閉機構２０を構成する扉用ヒンジ部材２１が配設されており、その扉用ヒンジ部材２１のヒンジ軸を支点（中心）として扉体３０が開閉可能に装着されている。また、扉体３０後面の他側（自由端側）と基枠７前面の他側との間には、扉閉止用フック２６と施錠板２７とを備えた扉用閉止機構２５が配設されている。
【００１１】
すなわち、図２、図５及び図６に示すように、扉体３０後面の一側の上下及び中間の計三箇所には、扉閉止用フック２６が突設される一方、基枠７の他側部には扉体３０が閉じられたときには、その扉閉止用フック２６が差し込まれる差込孔７ａが形成されている。また、基枠７の後面の他側部には、各扉閉止用フック２６に係脱可能に係合して扉体３０を閉じ状態に施錠する施錠孔を有する施錠板２７が施錠位置と開錠位置とに移動可能（上下動可能）に配設されている。そして、扉体３０が閉じられることで、その扉閉止用フック２６が施錠板２７を、一旦、バネの弾発力に抗して開錠方向に移動しながらその施錠孔に差し込まれ、その後、施錠板２７がバネの弾発力によって元の施錠位置に戻されることで、扉閉止用フック２６が施錠板２７に係合し、これによって、扉体３０が閉じ状態に施錠されるようになっている。また、基枠７に対する扉体３０の解錠は、基枠７のシリンダ錠の鍵穴１８に対し鍵を挿入し、その鍵を、外枠３に対する基枠７の解錠方向とは逆の方向に回動操作することで、施錠板２７がバネの弾発力に抗して開錠方向に移動し、これによって施錠板２７の施錠孔から扉閉止用フック２６が外れ、基枠７に対し扉体３０が解錠されるようになっている。
【００１２】
図２、図４及び図５に示すように、扉体３０は、本体フレーム３２と、前面飾り部材３３とを主体として構成されている。本体フレーム３２は、鉄板等の金属板や硬質合成樹脂より略四角形の枠状に形成されている。また、前面飾り部材３３は、合成樹脂成形品よりなる単数又は複数の部材によって構成され、本体フレーム３２の前側全面を覆うようにして装着されている。この前面飾り部材３３の略中央部には、遊技盤１０の盤面の遊技領域１２に対応する略円形の開口窓３１が形成されている。また、前面飾り部材３３の前面には凹凸の装飾が施されるとともに、その一部には光が出射されるレンズ部が適宜に形成されている。また、本体フレーム３２と前面飾り部材３３との間には、レンズ部に対応する位置においてランプ、ＬＥＤ等の発光体３６を備えたランプ基板３５が配設されている（図４及び図５参照）。
【００１３】
図１と図２に示すように、扉体３０の本体フレーム３２の後部には、窓枠体４０が一体状に延出形成されている。この窓枠体４０は、開口窓３１の下方において左右方向に延びる下枠部５１と、その下枠部５１の左右両端から上方に向けて立ち上がる左右の両側枠部４３とをそれぞれ備えて略Ｕ字枠状に形成されている。また、窓枠体４０の下枠部５１及び左右の両側枠部４３にわたって、遊技盤１０の盤面の遊技領域１２を透視可能に塞ぐ前後二枚の方形の第１窓板３８及び第２窓板３９をそれぞれ装着するための第１装着部４１及び第２装着部４２がそれぞれ形成されている。第１装着部４１及び第２装着部４２は、第１窓板３８及び第２窓板３９の端縁部（下縁部及び左右両縁部）がそれぞれ差し込まれる溝状に形成されている。さらに、第１装着部４１及び第２装着部４２の溝幅寸法は、第１窓板３８及び第２窓板３９の板厚寸法よりも若干大きく設定されている。そして、第１装着部４１及び第２装着部４２には第１窓板３８及び第２窓板３９が着脱可能に差し込まれて保持されるようになっている。
【００１４】
この実施の形態１において、図２と図５に示すように、左右の両側枠部４３の枠前部には、第１装着部４１を形成するための後側溝壁部４４と底壁部４５とがそれぞれ形成されている。また、第１装着部４１の前側溝壁部は、扉体３０の前面飾り部材３３の開口窓３１の周縁部に沿って後方に突出された突出部３３ａによって構成されている。また、左右の両側枠部４３の枠後部には、横断面略Ｕ溝状をなす第２装着部４２を形成するための前側溝壁部４６、後側溝壁部４７及び底壁部４８がそれぞれ形成されてされている。
【００１５】
一方、図１と図４に示すように、下枠部５１の枠前部には、左右の両側枠部４３と同様にして、第１装着部４１を形成するための後側溝壁部５２と底壁部５３とがそれぞれ形成されている。また、第１装着部４１の前側溝壁部は、扉体３０の前面飾り部材３３の開口窓３１の周縁部に沿って後方に突出された突出部３３ａによって構成されている。また、下枠部５１の枠後部には、横断面略Ｕ溝状をなす第２装着部４２を形成するための前側溝壁部５５、後側溝壁部５７及び底壁部５８がそれぞれ形成されてされている。下枠部５１の前側溝壁部５５と後側溝壁部５７のうち、少なくとも一方の溝壁部、この実施の形態１では前側溝壁部５５の下半部には、第２窓板３９の下端部を後側溝壁部５７に押し付ける傾斜状の案内面５６が底壁部５８まで延びて形成されている。すなわち、下枠部５１に形成される第２装着部４２の溝部分において、その上半部の溝幅寸法（前側溝壁部５５と後側溝壁部５７との間隔寸法）は、第２窓板３９の板厚寸法よりも所定だけ大きく形成されている。また、下半部の溝幅寸法は、傾斜状の案内面５６によって底壁部５８に向けてしだいに小さく形成されている。そして、傾斜状の案内面５６の下傾端では、その下傾端と後側溝壁部５７との間隔寸法（言い換えると底壁部５８の前後方向の幅寸法）が第２窓板３９の板厚寸法よりも所定だけ小さく形成されている。
【００１６】
なお、左右の両側枠部４３の後側溝壁部４７の先端と、下枠部５１の後側溝壁部５７の先端には、後方に向けて差込片４９、５９がそれぞれ突設されている。そして、扉体３０が閉じられたときには、各差込片４９、５９が遊技盤装着枠８の前側に形成された凹部８ａに挿脱可能に差し込まれるようになっている（図４及び図５参照）。
【００１７】
図１と図４に示すように、窓枠体４０の左右の両側枠部４３の上端部には押え部材６０が開閉可能あるいは着脱可能に装着されている。この実施の形態１において、押え部材６０は、左右の両側枠部４３の上端部に跨る長さを有する長尺板状に形成されている。さらに、押え部材６０の左右両端部にはアーム部６１がそれぞれ設けられ、これら両アーム部６１が長孔６２とピン６３によって窓枠体４０の左右の両側枠部４３の上端部に跨って開閉可能に装着されている。また、押え部材６０下面の幅方向中央部には、第１窓板３８と第２窓板３９との間に嵌込まれる嵌込み部６５が突設されている。さらに、押え部材６０下面の幅方向前端部には、嵌込み部６５の前側面との間に第１窓板３８の上縁部が嵌込まれる突縁部６４が形成されている。
【００１８】
また、この実施の形態１において、図１に示すように、押え部材６０の嵌込み部６５の前面には、第１窓板３８の後面に向けて凸部６７が突設されるとともに、嵌込み部６５の後面には、第２窓板３９の前面に向けて凸部６８が突設されている。また、押え部材６０が自由状態（開放状態）にあるときの、嵌込み部６５の両凸部６７、６８の先端部の間の間隔寸法は、第１窓板３８と第２窓板３９との間の間隔寸法よりも若干大きく形成されている。さらに、嵌込み部６５には、スリット溝６６が形成され、これによって嵌込み部６５がその幅方向に弾性的に縮小されるようになっている。すなわち、図１に示すように、窓枠体４０の左右の両側枠部４３の上端部に跨って押え部材６０が閉じられて装着されると、その嵌込み部６５が幅方向に弾性的に縮小しながら、嵌込み部６５の前面の凸部６７が第１窓板３８の後面に圧接して第１窓板３８の前面を突縁部６４に押し付けるとともに、嵌込み部６５の後面の凸部６８が第２窓板３９の前面に圧接して第２窓板３８の後面を側枠部４３の後側溝壁部４７に押し付けるようになっている。
【００１９】
また、押え部材６０が開放されることによって、窓枠体４０の第１装着部４１及び第２装着部４２の上方開口部から第１窓板３８及び第２窓板３９が着脱交換可能に差し込まれるようになっている。また、この実施の形態１において、押え部材６０の後端部には、後方に向けて差込片６９が突設されている。そして、扉体３０が閉じられたときには、差込片６９が遊技盤装着枠８の前側に形成された凹部８ａに挿脱可能に差し込まれるようになっている。
【００２０】
この実施の形態１の遊技機１は上述したように構成される。したがって、扉体３０の窓枠体４０の第１装着部４１及び第２装着部４２に対し第１窓板３８及び第２窓板３９を装着したり、あるいは脱着交換する場合、扉体３０の扉用閉止機構２５を解錠した状態で、遊技機本体側、すなわち、基枠７に対し扉体３０が扉用ヒンジ部材２１のヒンジ軸を中心として前方に回動して開かれる（図６参照）。前記したように扉体３０が開かれた状態において、窓枠体４０の左右の両側枠部４３の上端部に対し、押え部材６０がアーム部６１の長孔６２とピン６３との嵌合部分において、上方に所定高さだけ移動された後、ピン６３を支点として後方に傾動されることによって開放される。前記の状態において、窓枠体４０の第１装着部４１及び第２装着部４２の上方開口部から第１窓板３８及び第２窓板３９が差し込まれることで第１窓板３８及び第２窓板３９が容易に装着される。その後、押え部材６０が前記とは逆の手順で操作され、窓枠体４０の左右の両側枠部４３の上端部に跨って閉じられる。これによって、窓枠体４０の第１装着部４１及び第２装着部４２に対する第１窓板３８及び第２窓板３９の装着作業が完了する。
【００２１】
特に、この実施の形態１において、下枠部５１に形成される第２装着部４２の溝部分において、下枠部５１の前側溝壁部５５の下半部には、第２窓板３９の下端部を後側溝壁部５７に押し付ける傾斜状の案内面５６が形成されている。このため、窓枠体４０の第２装着部４２の上方開口部から差し込まれた第２窓板３９は、その下端部が下枠部５１の前側溝壁部５５の案内面５６に当接した後は、第２窓板３９の自重によって案内面５６に沿って滑走しながら後側溝壁部５７に隙間なく押し付けられて装着される。これによって、第２装着部４２に対する第２窓板３９の前後方向のガタツクが良好に防止される。しかも、下枠部５１の前側溝壁部５５に傾斜状の案内面５６を形成する、という極めて簡単な構造によって第２窓板３９のガタツキを防止することができる。言い換えると、従来と異なり、窓枠体４０の第２装着部４２の溝内に、第２窓板３９の差し込みに支障をきたすバネ部材等を配設する必要性を解消することができ、窓枠体４０の第２装着部４２に対し第２窓板３９を容易に差し込んで装着することができる。
【００２２】
また、この実施の形態１において、窓枠体４０の左右の両側枠部４３の上端部に跨って押え部材６０が閉じられた装着状態において、押え部材６０の嵌込み部６５の後面の凸部６８が第２窓板３９の前面に圧接して第２窓板３８の後面を側枠部４３の後側溝壁部４７に押し付けるようになっている。このため、窓枠体４０の第２装着部４２の溝内に対する第２窓板３９のガタツキをより一層良好に防止することができる。さらに、押え部材６０の嵌込み部６５の前面の凸部６７が第１窓板３８の後面に圧接して第１窓板３８の前面を押え部材６０の突縁部に押し付ける構造になっている。このため、第１窓板３８のガタツキを防止することができる。また、前記したように、第２窓板３９のガタツキを防止することで、第２窓板３９のガタツキが原因となって遊技盤１０の盤面（前面）から第２窓板３９の後面までの距離寸法が不測に変化することも防止することができる。例えば、遊技盤１０の盤面から第２窓板３９の後面までの距離寸法の不測の変化によって遊技球が遊技盤１０の遊技領域１２の釘、風車器、入賞器等の一部と第２窓板３９との間に噛み込む不具合を防止することも可能となる。
【００２３】
なお、この発明は前記実施の形態１に限定するものではなく、例えば、図８〜図１１に示す実施の形態２〜４のように変更してもよい。すなわち、図８に示す実施の形態２においては、窓枠体４０の下枠部５１の前側溝壁部５５と後側溝壁部５７のうち、後側溝壁部５７に、第２窓板３９の下端部を前側溝壁部５５に押し付ける傾斜状の案内面５６が形成されている。この実施の形態２のその他の構成は前記実施の形態１と略同様にして構成されるため、その説明は省略する。
【００２４】
したがって、この実施の形態２においては、窓枠体４０の第２装着部４２の上方開口部から差し込まれた第２窓板３９は、その下端部が下枠部５１の後側溝壁部５７の案内面５６に当接した後は、第２窓板３９の自重によって案内面５６に沿って滑走しながら前側溝壁部５５に隙間なく押し付けられて装着される。これによって、第２装着部４２に対する第２窓板３９の前後方向のガタツクが良好に防止される。
【００２５】
図９と図１０に示す実施の形態３において、窓枠体４０は、上枠部５０、下枠部５１及び片側の側枠部４３をそれぞれ備えて略コ字枠状に形成されている。また、窓枠体４０の上枠部５０、下枠部５１及び側枠部４３にわたって、遊技盤１０の盤面の遊技領域１２を透視可能に塞ぐ少なくとも一枚（又は二枚）の窓板３９を装着するための装着部４２がそれぞれ形成されている。装着部４２は、窓板３９の端縁部（上下両縁部及び片側縁部）がそれぞれ差し込まれる溝状に形成されている。さらに、装着部４２の溝幅寸法は、窓板３９の板厚寸法よりも若干大きく設定されている。そして、装着部４２には窓板３９が着脱可能に差し込まれて保持されるようになっている。また、窓枠体４０の上枠部５０と下枠部５１との端部に跨って上下方向の押え部材６０が開閉可能あるいは着脱可能に装着されている。
【００２６】
特に、この実施の形態３において、図１０に示すように、側枠部４３に形成される装着部４２の溝部分において、側枠部４３の前側溝壁部４６には、窓板３９の片側端部を後側溝壁部４７に押し付ける傾斜状の案内面４６ａが形成されている。このため、窓枠体４０の装着部４２の側方開口部から差し込まれた窓板３９は、その奥側の側縁部が側枠部４３の前側溝壁部４６の案内面４６ａに当接する位置まで差し込まれる。すると、窓板３９奥側の側縁部が案内面４６ａに沿って滑走し、窓板３９の側縁部の後面が後側溝壁部４７に隙間なく押し付けられる。その後、押え部材６０が窓枠体４０の上枠部５０と下枠部５１の端部に跨って閉じられることで、窓板３９の側縁部の後面が後側溝壁部４７に押し付けられた状態に保たれ、これによって、窓枠体４０の装着部４２に対する窓板３９の装着作業が完了する。
【００２７】
したがって、この実施の形態３においても、装着部４２に対する窓板３９の前後方向のガタツクが良好に防止される。なお、この実施の形態３において、下枠部５１の装着部４２の溝部分において、実施の形態１と略同様にして、前側溝壁部に傾斜状の案内面を形成してもよい。この場合、側枠部４３の前側溝壁部４６に対し、傾斜状の案内面４６ａを必ずしも設けなくてもよい。
【００２８】
図１１に示す実施の形態４においては、前記実施の形態３の側枠部４３に形成される装着部４２の溝部分に形成された傾斜状の案内面４７ａを後側溝壁部４７に形成し、窓板３９の片側端部を側枠部４３の前側溝壁部４６に押し付けるように構成したものである。この実施の形態４のその他の構成は前記実施の形態３と略同様にして構成されるため、その説明は省略する。したがって、この実施の形態４においても、装着部４２に対する窓板３９の前後方向のガタツクが良好に防止される。
【００２９】
【発明の効果】
以上述べたように、この発明によれば、遊技機本体に開閉可能に装着された扉体の窓枠体に対し、第１窓板・第２窓板を容易に装着することができるとともに、第２窓板のガタツキを防止することができる。
【図面の簡単な説明】
【図１】この発明の実施の形態１に係る扉体を拡大して示す縦断面図である。
【図２】同じく扉体を背面側から表した斜視図である。
【図３】同じく遊技機としてのパチンコ機全体を示す正面図である。
【図４】同じく図３のＩＶ−ＩＶ線に基づく縦断面図である。
【図５】同じく図３のＶ−Ｖ線に基づく平断面図である。
【図６】同じく遊技機本体の外枠に対し基枠を開きその基枠に対し扉体を開いた状態を示す斜視図である。
【図７】同じく遊技機本体の外枠に対し基枠を開いた状態を示す斜視図である。
【図８】この発明の実施の形態２に係る窓枠体の下枠部を示す横断面図である。
【図９】この発明の実施の形態３の係る窓枠体を簡略化して示す正面図である。
【図１０】同じく窓枠体の側枠部を示す図９のＸ−Ｘ線に基づく横断面図である。
【図１１】この発明の実施の形態４の係る窓枠体の側枠部を示す横断面図である。
【符号の説明】
１  …パチンコ機（遊技機）
３  …外枠
７  …基枠
１０…遊技盤
１２…遊技領域
３０…扉体
３１…開口窓
３８…第１窓板
３９…第２窓板
４０…窓枠体
４１…第１装着部
４２…第２装着部
４３…側枠部
５１…下枠部
５６…案内面
６０…押え部材
６５…嵌込み部
６６…スリット溝
６７，６８…凸部
【図１】
0004284422.tif 000002
【図２】
0004284422.tif 000003
【図３】
0004284422.tif 000004
【図４】
0004284422.tif 000005
【図５】
0004284422.tif 000006
【図６】
0004284422.tif 000007
【図７】
0004284422.tif 000008
【図８】
0004284422.tif 000009
【図９】
0004284422.tif 000010
【図１０】
0004284422.tif 000011
【図１１】
0004284422.tif 000012